(57)【要約】  本発明は健康な目、偽水晶体眼および／または無水晶体眼および／または黄斑変性眼および網膜変性眼の治療処置および予防処置のための装置に関し、この装置は、可視スペクトル中の短波長（５００ｎｍ未満）から眼を保護するために、黄色色素沈着を有するフィルターを通常の照明装置に取り付けることによって製作されることを特徴とする。本発明は、いかなる照明装置に対しても保護フィルターを単に取り付けることによって、白内障の手術を受けた眼に保護を与え、健康な眼および神経変性過程ある眼を保護し、改善するために用いられる現行の技術に関連する困難やリスクを取り除く。本発明は、５００ｎｍ未満の短波長を吸収する黄色色素沈着フィルターと通常の照明装置とを組み合わせる。【選択図】なし【特許請求の範囲】
【請求項１】
１つまたはいくつかの照明装置上に３５０から５００ｎｍの短波長を吸収する黄色色素沈着を有するフィルターを取り付けた結果であることを特徴とする、偽水晶体眼および／または無水晶体眼保護のための治療および予防用装置。
【請求項２】
請求項１に記載の偽水晶体眼および／または無水晶体眼のための治療および予防用装置において、前記照明装置上の使用に適した黄色色素沈着を有するフィルターに対応する偽水晶体眼および／または無水晶体眼のための治療および予防用装置。
【請求項３】
請求項１または２に記載の偽水晶体眼および／または無水晶体眼のための治療および予防用装置において、一般的な照明装置を含む偽水晶体眼および／または無水晶体眼のための治療および予防用装置。
【請求項４】
１つまたはいくつかの照明装置上に３５０から５００ｎｍの短波長を吸収する黄色色素沈着を有するフィルターを取り付けた結果であることを特徴とする、健康な眼または神経変性網膜過程にある眼のための治療および予防用装置。
【請求項５】
請求項４に記載の健康な眼または神経変性網膜過程にある眼のための治療および予防用装置において、前記照明装置上の使用に適した黄色色素沈着を有するフィルターに対応する健康な眼または神経変性網膜過程にある眼のための治療および予防用装置。
【請求項６】
請求項４または５記載の健康な眼または神経変性網膜過程にある眼のための治療および予防用装置において、一般的な照明装置を含む健康な眼または神経変性網膜過程にある眼のための治療および予防用装置。
【発明の詳細な説明】
【技術分野】
【０００１】
本発明は、事実上の治療および予防的な光学応用範囲内における眼科分野に属する。
【背景技術】
【０００２】
視知覚は、可視光線（３８０〜７６０ｎｍ）に対する反応の結果である。環境において、太陽放射線は視力に対する主要なリスクである。太陽は、大気によってほぼ完全に吸収される紫外線および赤外線放射を放出する。大気中を透過した太陽放射線が地球表面に届く時、その太陽放射線は、紫外線Ｂ（２３０〜３００ｎｍ）、紫外線または紫外線Ａ（３００〜３８０ｎｍ）、可視光線（３８０〜７６０ｎｍ）および赤外線（７６０〜１４００ｎｍ）からなる。完全に健康な状態にあるヒト眼は、赤外線および大部分の可視スペクトルを網膜まで自由に透過するが、角膜および水晶体は、可視スペクトルの反応性が高いｍｓｓ波長（紫外線Ｂおよび可視スペクトルの青色光部分）が網膜に達するのを防ぐ。
【０００３】
一方で、老化とともにヒト水晶体の透過特性は変化し、水晶体の黄色が強くなり、紫外線および青色光線の排除能力が高まる。このため、６５歳より高齢の人において、青紫色光線（＜４００ｎｍ）は透過されず、青色光（４００〜５００ｎｍ）の透過は著しく減少する。
【０００４】
一方で、黄斑窩において青色光感受性の光受容体が存在しないような光受容体の不均等分布による方法、およびその同じ領域に存在する保護効果も発揮する黄色色素の作用による方法という２つの方法で、網膜は自らそれ自体を短波長から保護する。
【０００５】
最短波長に対するヒト眼のこれら天然の保護（水晶体、および網膜の保護）は、以下のような特定の疾患および／または外科手術処置により、深刻な影響を受ける可能性がある。
【０００６】
すなわち、白内障は外科的にのみ治療可能であるが、水晶体の摘出を必要とする。
【０００７】
また、病理学的老化過程の発生は頻繁に起こり、加齢黄斑変性（ＡＭＤ）を生じる網膜構造の劣化を生じさせる。
【０００８】
歴史的に、これら２つの疾患、つまり白内障およびＡＭＤの患者が同じ人口統計のグループ（６５歳より高齢の人）に集中することを考慮しなくてはいけない。この同じ人口区分において、白内障は視力喪失の主要因であり、ＡＭＤは失明の主要因である。さらにとりわけ平均寿命が延びたことによる両疾患の推定し得る増加を考慮しなくてはいけない。また、その結果、これらが研究者の大きな関心および光学工業における応用を引き起こす。
【０００９】
したがって、非特許文献１（クラインの研究）及び非特許文献２（フリーマンの研究）に説明されているように、いくつかの疫学的研究が白内障手術関連および加齢黄斑変性（ＡＭＤ）によって評価されてきた。非特許文献３によって、白内障手術を受けた人がＡＭＤ病徴を発症するリスクがより高いことは明らかである。しかしながら、非特許文献４（ワンによるそれ以前の研究）及び非特許文献５（マッカーティによる研究）では、恐らく診断測定に使用された技術レベルが未熟であったために、この仮説は却下されている。最近になってようやく、光干渉断層撮影のような技術の実現によって、神経変性網膜過程の進行に対するフォローアップを正確に、迅速かつ非侵襲的に行うことが可能となっている。これは有害な放射を吸収する天然色素の決定的な効果を知るための重要な事実となる。
【００１０】
一方で、短波長から白内障手術が行なわれた眼を保護するために、以下（１）（２）のようないくつかの技術が開発されている：
【００１１】
（１）黄色色素沈着がなされたいくつかの種類のフィルターが市場に存在するが、ヒト眼に対して、天然の保護に代わる、かつ／または天然の保護を向上させるための治療的手段および／または防止的手段として、これらのフィルターを適用する最適な手順および／または装置はまだない。
【００１２】
（２）１９９０年代中頃以来、白内障手術を行なった眼に黄色のフィルターを備えた眼内レンズを移植してきた。この選択肢は、あらゆる明白なリスクおよび困難のある外科的処置を伴う。黄色色素沈着による必要な保護を有さない透明な眼内レンズが水晶体の代わりに移植された、白内障手術を受けた多くの人も存在する。これらの場合には、黄色色素沈着支援システムにより、黄色色素沈着がなされていない人工水晶体を補完する必要がある。
【００１３】
また、本発明と比較すると大きな違いを呈するが、この技術に関連したいくつかの特許が開発されている。
【００１４】
特許文献１には、色合いを適用することにより高照度レベルの条件下で視界を向上させるカラー表示装置用吸収フィルターが開示されている。
【００１５】
特許文献２には、周囲の極度の照明や低レベルの照明を含むすべての光の環境において視力を向上させるためのフィルターを含み、そのフィルター用のリングアダプターを包含する、ヒト眼の視力を向上するためのカラー強化フィルターおよび使用上の指示が記載されている。
【００１６】
特許文献３には、例えばスポーツにおいて物体視覚を改善する特定の活動のための特殊な光学フィルターおよびこれらのフィルターを使用する光学アクセサリーが開示されている。
【００１７】
特許文献４には、合成樹脂で構成され、赤外光線から保護することのできる、光学フィルターおよび装置、熱線吸収性フィルター、光ファイバーならびにこの光学フィルターを備えた眼鏡が開示されている。
【００１８】
特許文献５には、ヒト眼の色覚を向上または修正するカラーフィルターを設計する方法およびその方法で設計された、色のフィルタリング方法が開示されている。
【００１９】
特許文献６には、環境要因を補償するために、ソフトウェアおよび／またはハードウェアを介してプログラムされた色度計に基づき、環境条件に関連する補正係数を用いるためのシステムおよび方法が開示されている。
【００２０】
また、具体的には、特許文献７に、特定の周波数の光放射を排除する物質を少なくとも一部に含む弾粘性を有する液体または洗浄液で作られた眼の治療のための保護溶液が開示されている。
【００２１】
特許文献８には、電磁放射線に対して保護する、かつ／または近視および色覚の欠如といった視力障害を補正するフィルターを組み合わせたものを含む、ヒト眼の保護および補正装置が開示されている。
【００２２】
例えば、特許文献９には、対象物（ヒト眼であり得る）の特定の場所において、光源から放射された光の強さを無くすことなく、光強度を弱めるスペクトルフィルターを備える外科用顕微鏡といった、部分的に照度を弱める装置を含む光学視覚装置が開示されている。
【００２３】
一方、特許文献１０には、検査対象の眼に対して高レベルの照明での検査を可能とし、他方では眼を損傷することを防止する眼用投射顕微鏡ランプのための照度検知および制御システムが開示されている。
【００２４】
特許文献１１には、顕微鏡ランプより放射される照明を制御する、顕微鏡ランプとの組み合わせの拡散プレートレットが開示されている。
【００２５】
特許文献１２には、フィルターを含み得る眼検診用ＬＥＤシステム（発光ダイオード）が開示されている。
【００２６】
特許文献１３には、中間彩度フィルターの使用を含む、眼及び視神経の疾患を検知するための装置である立体測光器が開示されている。
【００２７】
これらの特許のどれもが神経変異の過程にある健康なヒト眼または白内障の手術を受けたヒト眼を短波長から保護する目的を有さないので、目的および有用性においてこれらは本発明とは根本的に異なる。また、これらの大多数が一般的な照明装置にフィルターを取り付けることには言及しておらず、代わりに、他の種類の形態（特定の照明装置、レンズ、溶液等）で実現する構成である。
【先行技術文献】
【非特許文献】
【００２８】
【非特許文献１】Klein R, Klein BE, Wong TY, Tomany SC, Cruickshanks KJ. 、加齢性黄斑変性症の長期的事象との白内障および白内障手術の関連（The association of cataract and cataract surgery with the long-term incident of age-related maculopathy）。Arch Ophthalmol 120:1551-1558.2002）
【非特許文献２】Freeman E, Munoz B, West SK, Tielsch JM, Schein OD. 、白内障手術と加齢黄斑変性の間に関連があるか（Is there an association between cataract surgery and age-related macular degeneration ？）
【非特許文献３】Am J Ophthalmolm 135(6): 849-856.2003 ）（Wang JJ, Mitchell P, Cumming RG, Lim R. 白内障および加齢性黄斑変性症: ブルーマウンテンズ眼研究（Cataract and age-related maculopathy: the Blue Mountains Eye Study）
【非特許文献４】Ophthalmic Epidemiol 6: 317-326.1999）
【非特許文献５】McCarty CA, Mukesh BN, Fu CL, Mitchell P, Wang JJ, Taylor HR. 、加齢性黄斑変性症についてのリスクファクター: 視力障害プロジェクト（Risks factors for age-related maculopathy: the Visual Impairment Project.
【非特許文献６】Arch Ophthalmol 119:1455-1462.2001）
【特許文献】
【００２９】
【特許文献１】米国特許第５１２１０３０号
【特許文献２】米国特許第６１５８８６５号
【特許文献３】米国特許第６８９３１２７号
【特許文献４】国際公開第９９２７３９７号
【特許文献５】米国特許第２００４０７５８１０号
【特許文献６】米国特許第２００６１９５２７８号
【特許文献７】国際公開第２００５０２５５７５号
【特許文献８】ドイツ特許第１０２５９２６１号
【特許文献９】米国特許第２００２１１３９４１号
【特許文献１０】米国特許第４７１５７０４号に基づく米国特許第６２９９３１０号
【特許文献１１】ドイツ特許第８８０８８７１号
【特許文献１２】イタリア特許第１１４７０９２号
【特許文献１３】日本特許第５１３０９７６号
【発明の概要】
【発明が解決しようとする課題】
【００３０】
本発明の目的は、健康な眼、偽水晶体眼および／または無水晶体眼（白内障手術を受けた眼）および／または黄斑変性眼および網膜変性眼を保護し、可視スペクトル短波長（５００ｎｍ未満）から眼を保護する目的で、黄色色素沈着を有するフィルターを照明装置上に取り付けることによってこれを達成する装置を開発することである。
【００３１】
本発明の目的は偽水晶体眼および／または無水晶体眼の患者の場合において保護色素の抽出（手術中に抽出される）を機能的に補うこと、および、健康な眼または変性過程にある眼の場合は、照明装置に取り付けられたフィルターを用いることによって青色および青紫色の光線に対する予防的効果を高めることである。前述したように、これら２つの過程は同じ人口集団、つまり高齢者に頻繁に同時に起こるものである。
【課題を解決するための手段】
【００３２】
このため、本発明は病気を患った眼または健康な眼を、有害な光線を吸収することによる神経変異の過程から保護する照明装置で構成され、この照明装置は、一般的な照明装置に３５０から５００ｎｍの短波長を吸収するための黄色色素沈着を有するフィルターを取り付けることによって得られる。
【００３３】
したがって、その装置は下記３つの要素（ａ）（ｂ）（ｃ） の組み合わせを包括する。
【００３４】
（ａ）白熱電球や、蛍光灯や、ハロゲンランプといった一般的な照明装置
（ｂ）前記フィルターをこの照明装置の照明部に取り付けるための取り付け具または支持物
（ｃ）市販の３５０から５００ｎｍの短波長を吸収する照明装置に適応した黄色色素沈着を有するフィルターのこの照明装置の全発光領域への適用
【発明の効果】
【００３５】
本発明により、健康な眼、偽水晶体眼および／または無水晶体眼（白内障手術を受けた眼）および／または黄斑変性眼および網膜変性眼を保護することができ、健康な眼または変性過程にある眼の場合は、可視スペクトル短波長（５００ｎｍ未満）の光線から眼を保護することができる。
【発明を実施するための形態】
【００３６】
照明装置の種類によって、本発明を適用するためのいくつかの方法が存在する。また、本発明の適用方法は以下の実施例により示されるが、この装置を製造するための他の手段および組み合わせがあるため範囲は限定されない。
【００３７】
＜本発明の製造例＞
市販のものから黄色または黄色がかった色で、たとえば、スクリーンのような形状を有する、照明装置に適合するフィルターを準備する。
【００３８】
さらに、製造者の指示に応じて、または、たとえば、特許番号ＥＯ１８３０２５０号（照明装置のためのフィルター支持連結具）またはスペイン特許番号第１０４６７９３号（照明ランプに適用されるフィルター支持構造）に基づいて、上記フィルターを照明装置に取り付けるために、市販のものから支持材を準備する。
【００３９】
上記黄色のフィルターを照明装置の発光領域全体を覆うように支持材上に取り付ける。
【００４０】
このように、照明装置と黄色のフィルターの組み合わせによって、眼内透明レンズを用いて白内障の手術を受けた患者が、手術された眼が保護されていないという事実を是正することができる。また、この方法により、神経変性の過程にある眼は改善され、天然の保護を増すこととなるであろう。そして、健康な眼に対しては、神経変性の過程が起こることを防ぐであろう。この方法により、市場に存在し、眼内レンズを用いる外科処置を必要とする他技術に関連した問題を回避する。
【産業上の利用可能性】
【００４１】
本発明は、眼内レンズを用いる外科処置を必要とする他の技術分野においても有益である。
【手続補正書】
【提出日】平成21年8月28日(2009.8.28)
【手続補正１】
【補正対象書類名】明細書
【補正対象項目名】全文
【補正方法】変更
【補正の内容】
【発明の詳細な説明】
【技術分野】
【０００１】
本発明は、治療および／または予防的な性質の光学適用の領域内における市場の眼科分野に関する。本発明の対象は、黄色色素、つまりフィルターを照明システムに適用することによって製作される、健康な眼、偽（無）水晶体眼（白内障手術を受けた眼）ならびに／または黄斑変性眼および網膜変性眼を保護するための装置である。この装置は可視スペクトルのうちの短波長（＜５００ｎｍ）から眼を保護する。
【背景技術】
【０００２】
図１を参照する。視知覚は、波長の範囲３８０〜７６０ｎｍにおける可視光線に対する反応の結果である。環境において、太陽放射線は視力に対する主要なリスクファクターである。太陽は、紫外（ＵＶ）線および赤外（ＩＲ）線放射を放出するが、その大部分は大気によって吸収される。大気中を透過した太陽放射線が地球表面に届く時、その太陽放射線は、紫外線Ｂ波（２３０〜３００ｎｍ）、紫外線または紫外線Ａ波（３００〜３８０ｎｍ）、可視光線（３８０〜７６０ｎｍ）および赤外線（７６０〜１４００ｎｍ）からなる。健康なヒト眼は、赤外線および大部分の可視スペクトル線を網膜まで自由に透過させるが、角膜および水晶体は、光スペクトルの最も反応性の高い波長（紫外線Ｂ波、紫外線Ａ波、およびスペクトルの紫色／青色部分）が網膜に達することを防ぐ。
【０００３】
水晶体の黄色が強くなることで、老化とともにヒト水晶体の透過特性は変化し、そのことによって、紫外線および紫色／青色光線の排除能力が高まる。したがって、６５歳より高齢の人において、紫外光（＜４００ｎｍ）は透過されず、紫色／青色光（４００〜５００ｎｍ）の透過は著しく減少する。
【０００４】
黄斑窩において紫色／青色光感受性の光受容体が存在しないような光受容体の不均等分布による方法、およびこの区域にある保護効果も発揮する黄色色素の作用による方法、という２つの方法で、網膜はそれ自体を短波長光から保護することができる。
【０００５】
より短い波長の光に対するヒト眼、すなわち水晶体および網膜の構造にあるこれらの天然の保護システムは、以下のような特定の疾患および／または外科手術処置に大きく影響を受ける可能性がある。
【０００６】
外科的治療において水晶体の除去を伴う白内障；
さらに、加齢黄斑変性（ＡＭＤ）を生じる網膜構造の劣化をもたらす病理学的老化過程が見出されることがよくある。
【０００７】
６５歳より高齢の人において、白内障およびＡＭＤの両方が共存する可能性がある。この高齢患者集団において、白内障は視力喪失の主な原因であり、ＡＭＤは失明の主な原因である。さらに、他にも原因はあるが、特に平均寿命が伸びたためにこれらの両方の疾患の増加が予想される。このことは、研究分野および光学工業における、これらの疾患への大きな関心およびそれらの治療選択肢へとつながる。
【０００８】
いくつかの疫学的調査によって、白内障手術およびＡＭＤの間の関係が評価されてきた。たとえば、非特許文献１（クラインの研究）、および非特許文献２（フリーマンの研究）では、白内障手術を受けた人においてＡＭＤ病徴を発症するリスクがより高いと主張されている。
【０００９】
しかしながら、非特許文献３（ワンの研究）、および非特許文献４（マッカーティの研究）による早期の研究では、恐らくそれらの診断測定に使用された技術が未熟であったために、この仮説は却下された。網膜神経変性過程への正確で迅速かつ非侵襲的フォローアップを可能にする光干渉断層撮影のような技術は、最近になってようやく導入された。これらの技術は、有害な放射を吸収する天然色素の効果測定の確立のために不可欠である。
【００１０】
いくつかの技術もまた、白内障手術が行なわれた眼を短波長光から保護するために開発されている。
【００１１】
市場においては、黄色色素を含むいくつかの種類のフィルターが存在するが、ヒト眼に対して、眼の天然の保護に代わる、かつ／または眼の天然の保護を改善するための防止的手段および／または治療的手段として、これらのフィルターを適用する最適な手順および／または装置はない。
【００１２】
１９９０年代中頃以来、フィルターとして働く黄色色素を含む眼内レンズを白内障摘出術を行なった眼に移植してきた。この選択肢は、あらゆるリスクおよび困難のある外科的処置を必要とする。白内障手術中に天然レンズに代わる透明レンズが移植され、したがって必要な保護を欠いている多くの患者集団も存在する。これらの患者では、黄色色素支援システムにより、黄色色素を欠く人工水晶体を補完する必要がある。
【００１３】
以下に記載されるように、本発明の対象とはかなり異なるが、この技術の現状と関連したいくつかの特許が開発されている：
【００１４】
・染料を使用することにより極度の光度の条件下で視界を向上させるカラー露光システム用吸収フィルター（特許文献１）。
【００１５】
・ヒト眼の視力を向上するためのカラー強化フィルターおよび使用方法（特許文献２）。この発明は、周囲の極度の光や低レベルの照明を含むすべての光の環境において視力を向上させるフィルターを含み、そのフィルター用の適用リングを包含する。
【００１６】
・例えばスポーツ活動において物体視覚を改善する特定の活動のための特殊な光学フィルターおよびこれらのフィルターを使用する光学アクセサリー（特許文献３）。
【００１７】
・光学フィルターおよび装置、熱線を吸収するフィルター、光ファイバーならびにこの光学フィルターを備えた眼鏡（特許文献４）。このフィルターは合成樹脂で構成され、赤外線領域における光の波長から保護することができる。
【００１８】
・ヒト眼の色覚を向上または修正するカラーフィルターを設計する方法およびその方法で設計された、色のフィルタリング方法（特許文献５）。
【００１９】
・環境条件に対抗するために、ソフトウェアおよび／またはハードウェアによってプログラムされた色検出器に基づき、環境条件に関連する補正係数を用いるためのシステムおよび方法（特許文献６）。
【００２０】
・主に、光放射の特定の周波数を排除する物質を少なくとも一部に含む弾粘性を有する液体または洗浄液で構成された眼の治療のための保護溶液（特許文献７）。
【００２１】
・電磁放射線に対して保護する、かつ／または近視もしくは色覚の欠如といった視覚の欠陥を補正する一組のフィルターを含む、ヒト眼の保護および補正装置（特許文献８）。
【００２２】
・たとえば、対象物（ヒト眼であり得る）の特定の領域において、光源から放射された光の強さを無くすことなく、光強度を弱めるために適用されるスペクトルフィルターを備える外科用顕微鏡といった、部分的に照度を弱める装置を含む光学視覚システム（特許文献９）。
【００２３】
・検査中の眼に対して高レベルの照明での検査を可能とし、また、検査されている眼への損傷を防止する眼用投射顕微鏡ランプのための光度検知および制御システム（特許文献１０）。
【００２４】
・顕微鏡ランプより放射される光を制御する、顕微鏡ランプと組み合わされた拡散板(
特許文献１１）。
【００２５】
・フィルターを包含し得る眼検診用ＬＥＤシステム（発光ダイオード）（特許文献１２）。
【００２６】
・中性濃度フィルターの使用を含む、眼および視神経の欠損を検知するための立体測光器。
【００２７】
これらの装置のどれもが健康な眼、白内障手術を行なった眼または神経変性眼を短波長光から保護するようには設計されていないので、主としてその目的および有用性においてこれらは本発明とは異なる。
【００２８】
そのうえ、これらの先行技術文献の大多数が、仕事場、休養する場、または家庭生活の場を照明するために使われる従来の照明装置にフィルターを適用することには言及していない。むしろ、他の状況において使用するためにそれらの装置は設計されている（たとえば、特別な目的の照明システム、レンズ、溶液、等）。
【００２９】
特許文献１３には、眼科用レンズおよび３５０〜５００ｎｍの短波長を吸収するために構成された黄色色素のフィルターからなり、この黄色色素フィルターはそのレンズ全体に適用されることを特徴とする、白内障の手術を受けた患者および／または網膜変性の患者に保護を提供するために構成された偽（無）水晶体眼のためのレンズおよび治療方法が記載されている。しかしながら、その出願には、本発明で記載されいているような照明装置は明示されていない。
【発明の概要】
【発明が解決しようとする課題】
【００３０】
本発明の目的は、偽（無）水晶体の患者の場合においては、保護色素の除去（手術中に天然のレンズとともに）を機能的に補うこと、および、健康な眼または神経変性の過程にある眼の場合においては、部屋、机、屋内の仕事場または遊び場、および屋外の仕事場または遊び場等の人がいる領域を照明するために通常は使われる従来の照明システムにフィルターを適用することによって紫色／青色および紫外光の吸収に対する予防的効果を高めることである。
【課題を解決するための手段】
【００３１】
前述したように、網膜神経変性および白内障が高齢者に共存することは、極めて一般的である。
【００３２】
したがって、治療および予防用照明装置が偽（無）水晶体眼の保護ために提供されており、この照明装置は、照明される領域を覆う可視スペクトル光周波数の光を出力する従来の領域照明装置と、照明装置の出力の全てを覆う、５００ｎｍ未満の短波長光を吸収する黄色のフィルターと、およびこの覆いを維持するためにこの照明装置に対してしかるべき所にこの黄色のフィルターを保持する取り付け台とを含む。
【００３３】
一実施形態において、この黄色のフィルターは３５０から５００ｎｍの波長範囲内の光を吸収する。この照明装置は蛍光灯、ハロゲン灯、または白熱灯であってもよい。この取り付け台は支持物またはフレームであってもよく、照明される領域は、部屋、机、または屋内もしくは屋外の仕事場や遊び場であってもよい。
【図面の簡単な説明】
【００３４】
【図１】図１は電磁放射線のさまざまな周波数を説明する図である。
【図２】図２は本発明の主要な構成要素を例示するブロック図である。
【発明を実施するための形態】
【００３５】
本発明の一実施形態によると、また図２を参照すると、従来の照明システムに適用される、３５０から５００ｎｍの短波長光を吸収する黄色のフィルターを介して有害な光線を吸収することによって健康な眼または疾患のある眼を神経変性から保護する照明装置１０が提供される。
【００３６】
図２を参照すると、装置１０は次の３つの要素を含む。
（１）白熱電球、蛍光灯、ハロゲンランプなどの通常の照明光源２０；
（２）照明光源２０の照明装置へ黄色のフィルター４０を適用するためのフレーム、支持物、または取り付け台３０；
（３）市販のもののなかでこの照明システムに適合し、光放出／照明領域５０の全域で３５０から５００ｎｍの範囲の短波長光を吸収する黄色のフィルター４０。
【００３７】
本発明の実施形態に応じた準備：
使用される照明システム１０の種類に応じて、本発明の実施形態を製作する方法はいくつかある。以下の説明は、一例としてなされたものであり、これに制限されることは全くなく、この装置を作り上げるには多くの異なった方法がある。
【００３８】
一実施形態においては、たとえば、照明光源２０に適合するスクリーンまたは染料の形態の市販で手に入るものの中から、黄色のフィルター４０を選ぶ。次いで、製造業者の指示書に応じて、または、たとえば、特許文献１４（照明システムのためのフィルター支持連結具）または特許文献１５（照明システムのためのフィルター支持構造）に基づいて（これら特許文献１４及び１５の参照により両文献を本明細書に援用したものとする）、黄色フィルター４０を照明光源２０に適用するために、市販のものから支持物材料３０を選ぶ。照明光源２０の光放出全領域を覆うように、この黄色フィルター４０を支持物３０上に取り付ける。
【００３９】
要約すると、黄色フィルター４０を照明光源２０に組み合わせることで、白内障手術を受け、透明眼内レンズを埋め込まれた患者が被る天然の保護の欠如を補う。また、健康な眼における神経変性の過程を防ぐとともに、神経変性が起こっている眼の天然の保護を改善および増加させることに有効である。この単純な構造により、眼内レンズを埋め込むための外科手術を必要とする市場で利用可能な技術的な選択肢に関連した問題を回避する。
【産業上の利用可能性】
【００４０】
本発明は、眼内レンズを用いる外科処置を必要とする市場で有益である。
【先行技術文献】
【非特許文献】
【００４１】
【非特許文献１】Klein R, Klein BE, Wong TY, Tomany SC, Cruickshanks KJ. 、加齢性黄斑変性症の長期的事象との白内障および白内障手術の関連（The association of cataract and cataract surgery with the long-term incident of age-related maculopathy）。Arch Ophthalmol 120:1551-1558.2002）
【非特許文献２】Freeman E, Munoz B, West SK, Tielsch JM, Schein OD. 、白内障手術と加齢黄斑変性の間に関連があるか（Is there an association between cataract surgery and age-related macular degeneration ？）。Am J Ophthalmolm 135(6): 849-856.2003
【非特許文献３】Wang JJ, Mitchell P, Cumming RG, Lim R. 白内障および加齢性黄斑変性症: ブルーマウンテンズ眼研究（Cataract and age-related maculopathy: the Blue Mountains Eye Study）。Ophthalmic Epidemiol 6: 317-326.1999）
【非特許文献４】McCarty CA, Mukesh BN, Fu CL, Mitchell P, Wang JJ, Taylor HR. 、加齢性黄斑変性症についてのリスクファクター: 視力障害プロジェクト（Risks factors for age-related maculopathy: the Visual Impairment Project. ）。Arch Ophthalmol 119:1455-1462.2001）
【特許文献】
【００４２】
【特許文献１】米国特許第５１２１０３０号
【特許文献２】米国特許第６１５８８６５号
【特許文献３】米国特許第６８９３１２７号
【特許文献４】国際公開第９９２７３９７号
【特許文献５】米国特許第２００４０７５８１０号
【特許文献６】米国特許第２００６１９５２７８号
【特許文献７】国際公開第２００５０２５５７５号
【特許文献８】ドイツ特許第１０２５９２６１号
【特許文献９】米国特許第２００２１１３９４１号
【特許文献１０】米国特許第４７１５７０４号に基づく米国特許第６２９９３１０号
【特許文献１１】ドイツ特許第８８０８８７１号
【特許文献１２】イタリア特許第１１４７０９２
【特許文献１３】ＰＣＴ出願国際公開第２００７０８０１９８号
【特許文献１４】スペイン特許第ＥＯ１８３０２５０号
【特許文献１５】スペイン特許第１０４６７９３号
【手続補正２】
【補正対象書類名】特許請求の範囲
【補正対象項目名】全文
【補正方法】変更
【補正の内容】
【特許請求の範囲】
【請求項１】
照明される領域を覆う可視スペクトル光周波数の光を出力する従来の領域照明装置と、
５００ｎｍ未満の短波長の光を吸収するように構成され、前記照明装置の出力の全てを覆う黄色のフィルターと、
前記覆いを維持するために前記照明装置に対してしかるべき所に前記黄色のフィルター保持する取り付け台
からなることを特徴とする健康な眼、偽（無）水晶体眼または神経変性眼のための治療／予防用用フィルターを備えた照明システム。
【請求項２】
請求項１に記載の健康な眼、偽（無）水晶体眼または神経変性眼のための治療／予防用用フィルターを備えた照明システムにおいて、前記黄色のフィルターは、３５０から５００ｎｍの波長の範囲内の光を吸収することを特徴とする、健康な眼、偽（無）水晶体眼または神経変性眼のための治療／予防用用フィルターを備えた照明システム。
【請求項３】
請求項２に記載の健康な眼、偽（無）水晶体眼または神経変性眼のための治療／予防用用フィルターを備えた照明システムにおいて、前記照明装置は、蛍光灯であることを特徴とする、健康な眼、偽（無）水晶体眼または神経変性眼のための治療／予防用用フィルターを備えた照明システム。
【請求項４】
請求項２に記載の健康な眼、偽（無）水晶体眼または神経変性眼のための治療／予防用用フィルターを備えた照明システムにおいて、前記照明装置は、ハロゲン灯であることを特徴とする、健康な眼、偽（無）水晶体眼または神経変性眼のための治療／予防用用フィルターを備えた照明システム。
【請求項５】
請求項２に記載の健康な眼、偽（無）水晶体眼または神経変性眼のための治療／予防用用フィルターを備えた照明システムにおいて、前記照明装置は、白熱灯であることを特徴とする、健康な眼、偽（無）水晶体眼または神経変性眼のための治療／予防用用フィルターを備えた照明システム。
【請求項６】
請求項１に記載の健康な眼、偽（無）水晶体眼または神経変性眼のための治療／予防用用フィルターを備えた照明システムにおいて、前記取り付け台は、支持物またはフレームであることを特徴とする、健康な眼、偽（無）水晶体眼または神経変性眼のための治療／予防用用フィルターを備えた照明システム。
【請求項７】
請求項１に記載の健康な眼、偽（無）水晶体眼または神経変性眼のための治療／予防用用フィルターを備えた照明システムにおいて、前記照明される領域は、部屋であることを特徴とする、健康な眼、偽（無）水晶体眼または神経変性眼のための治療／予防用用フィルターを備えた照明システム。
【請求項８】
請求項１に記載の健康な眼、偽（無）水晶体眼または神経変性眼のための治療／予防用用フィルターを備えた照明システムにおいて、前記照明される領域は、机であることを特徴とする、健康な眼、偽（無）水晶体眼または神経変性眼のための治療／予防用用フィルターを備えた照明システム。
【請求項９】
請求項１に記載の健康な眼、偽（無）水晶体眼または神経変性眼のための治療／予防用用フィルターを備えた照明システムにおいて、前記照明される領域は、屋外の仕事場であることを特徴とする、健康な眼、偽（無）水晶体眼または神経変性眼のための治療／予防用用フィルターを備えた照明システム。
【手続補正３】
【補正対象書類名】図面
【補正対象項目名】全図
【補正方法】追加
【補正の内容】
【図１】
2010506642.tif 000002
【図２】
2010506642.tif 000003
【国際調査報告】
2010506642.tif 000004
2010506642.tif 000005
2010506642.tif 000006
2010506642.tif 000007
2010506642.tif 000008
2010506642.tif 000009